【事件の表示】
　特許第３２０９４０４号「泡噴出容器」の請求項１に係る特許に対する特許異議の申立てについて、次のとおり決定する。
【結　論】
　訂正を認める。
　特許第３２０９４０４号の請求項１に係る特許を取り消す。
【理　由】
Ｉ．手続の経緯
　特許第３２０９４０４号の請求項１に係る発明についての手続の経緯は、およそ次のとおりである。
　
（１） 実用新案登録出願　平成５年１月８日（実願平５−２８０６号）
（２）特許出願へ変更　平成８年１２月２６日（特願平８−３５８５３１号）　　
（３）特許権の設定の登録　平成１３年７月１３日
（４）特許掲載公報（以下「本件公報」という。）の発行　平成１３年９月１７日
（５）掘金公雄より特許異議の申立て　平成１４年１月１８日
（６）特許の取消理由の通知　平成１４年７月２日（平成１４年６月２１日付け）
（７）特許権者より特許異議意見書の提出及び明細書の訂正請求（指定期間内）　
　　　平成１４年９月２日付け
　
ＩＩ．訂正の適否について
１．訂正の内容
　訂正事項ａのみを訂正する旨の訂正請求がなされているが、訂正事項ａに記載された内容は、具体的には、以下の訂正事項ア及び訂正事項イに記載のものである。
　
訂正事項ア：
　訂正前の明細書の特許請求の範囲の記載、すなわち、
「【請求項１】　容器体口頚部５に嵌合させた装着キャップ６と、該キャップ６の頂壁10より容器体２内へ垂下させた大径シリンダ11及び該シリンダ11下端中央より同心円状に垂設した吸い込み弁14付き小径シリンダ12よりなるシリンダ部材７と、上記小径シリンダ12内周に摺動可能に嵌合させた小径ピストン19を下端外周より突設するとともに、上部外周より上記大径シリンダ11内周に摺動可能に嵌合させた吸気弁25付き大径ピストン20を突設し、且つ、上端を上記キャップ頂壁10を貫通して上方へ突出させた吐出管18と、該吐出管18上端より延設して吐出管18と一体に上下動するノズル付き押し下げヘッド23と、上記吐出管18及び押し下げヘッド23で構成する上下動部材８を常時上方に付勢する弾性部材29と、上記吐出管18内よりノズル21先端に至る流通路22内に設けた吐出弁24と、上記吐出弁24下流の流通路内に設けた起泡層30と、上記大径ピストン20基端部に一端を開口するとともに、吐出管18内を通り起泡層30と吐出弁24間の流通路22内に他端を開口する通気路26とを有し、該通気路26内に大径シリンダ11内より流通路22内へ一方的に連通させるための逆流防止弁27を設けてなることを特徴とする泡噴出容器。」を、
訂正明細書の特許請求の範囲の記載、すなわち、
「【請求項１】　容器体口頚部５に嵌合させた装着キャップ６と、該キャップ６の頂壁10より容器体２内へ垂下させた大径シリンダ11及び該シリンダ11下端中央より同心円状に垂設した吸い込み弁14付き小径シリンダ12よりなるシリンダ部材７と、上記小径シリンダ12内周に摺動可能に嵌合させた小径ピストン19を下端外周より突設するとともに、上部外周より上記大径シリンダ11内周に摺動可能に嵌合させた吸気弁25付き大径ピストン20を突設し、且つ、上端を上記キャップ頂壁10を貫通して上方へ突出させた吐出管18と、該吐出管18上端より延設して吐出管18と一体に上下動するノズル付き押し下げヘッド23と、上記吐出管18及び押し下げヘッド23で構成する上下動部材８を常時上方に付勢する弾性部材29と、上記吐出管18内よりノズル21先端に至る流通路22内に設けた吐出弁24と、上記吐出弁24下流の流通路内に設けた起泡層30と、上記大径ピストン20基端部に一端を開口するとともに、吐出管18内を通り起泡層30と吐出弁24間の流通路22内に他端を開口
し、且つ、下部が幅広大径の円筒状空間をなす
、円筒状で上端部がテーパー状に縮径した弾力性を有する部材からなり且つ
　
訂正事項イ：
　明細書第３頁第１４行乃至第３頁第１７行（本件特許公報第２頁第４蘭第１２〜１６行）の「上記大径ピストン20基端部に一端を開口するとともに、吐出管18内を通り起泡層30と吐出弁24間の流通路22内に他端を開口する通気路26とを有し、該通気路26内に大径シリンダ11内より流通路22内へ一方的に連通させるための逆流防止弁27を設けて構成した。」を、「上記大径ピストン20基端部に一端を開口するとともに、吐出管18内を通り起泡層30と吐出弁24間の流通路22内に他端を開口
し、且つ、下部が幅広大径の円筒状空間をなす
、円筒状で上端部がテーパー状に縮径した弾力性を有する部材からなり且つ
　
　なお、上記下線部は、訂正された個所を示すため、当審で加筆したものである。
　
２．訂正の目的の適否、新規事項の追加の有無及び特許請求の範囲の拡張・変更の存否
訂正事項アについて：
　通気路26の構成に関して、「下部が幅広大径の円筒状空間をなす」ものと、通気路の径の大きさを特定し、更に、逆流防止弁の構成に関して、「円筒状で上端部がテーパー状に縮径した弾力性を有する部材からなり」と、逆流防止弁27の部材の特性を特定する内容の訂正であるので、特許請求の範囲の減縮を目的とする訂正である。
　そして、通気路及び逆流防止弁を上記のように特定することは、願書に添付された明細書の段落【００１８】に記載されており、願書に添付された明細書又は図面に記載された事項の範囲内においてされたものであり、また、訂正前の請求項１に記載された事項により特定される発明の具体的な目的の範囲を逸脱してその技術的事項を変更するもの等に該当しないから、当該訂正は、特許請求の範囲を実質上拡張するものでも変更するものでもない。
訂正事項イについて：
　上記訂正事項アに伴って、発明の詳細な説明の記載を整合ある記載とすることを目的とする訂正であるので、本訂正事項は、明りょうでない記載の釈明を目的とする訂正である。
　そして、（訂正事項アについて）で述べたと同じ理由から、願書に添付された明細書又は図面に記載された事項の範囲内においてされたものであり、また、訂正前の請求項１に記載された事項により特定される発明の具体的な目的の範囲を逸脱してその技術的事項を変更するもの等に該当しないから、当該訂正は、特許請求の範囲を実質上拡張するものでも変更するものでもない。
　
３．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
ＩＩＩ．特許異議の申立てについて
１．本件発明
　本件特許の請求項１に係る発明（以下「本件発明」という。）は、訂正明細書の特許請求の範囲の請求項１に記載されている事項により特定されるとおりのものである。
　
「【請求項１】　容器体口頚部５に嵌合させた装着キャップ６と、該キャップ６の頂壁10より容器体２内へ垂下させた大径シリンダ11及び該シリンダ11下端中央より同心円状に垂設した吸い込み弁14付き小径シリンダ12よりなるシリンダ部材７と、上記小径シリンダ12内周に摺動可能に嵌合させた小径ピストン19を下端外周より突設するとともに、上部外周より上記大径シリンダ11内周に摺動可能に嵌合させた吸気弁25付き大径ピストン20を突設し、且つ、上端を上記キャップ頂壁10を貫通して上方へ突出させた吐出管18と、該吐出管18上端より延設して吐出管18と一体に上下動するノズル付き押し下げヘッド23と、上記吐出管18及び押し下げヘッド23で構成する上下動部材８を常時上方に付勢する弾性部材29と、上記吐出管18内よりノズル21先端に至る流通路22内に設けた吐出弁24と、上記吐出弁24下流の流通路内に設けた起泡層30と、上記大径ピストン20基端部に一端を開口するとともに、吐出管18内を通り起泡層30と吐出弁24間の流通路22内に他端を開口し、且つ、下部が幅広大径の円筒状空間をなす通気路26とを有し、該通気路26内に、円筒状で上端部がテーパー状に縮径した弾力性を有する部材からなり且つ大径シリンダ11内より流通路22内へ一方的に連通させるための逆流防止弁27を設けてなることを特徴とする泡噴出容器。」
　
２．特許異議申立ての理由の概要
　特許異議申立人は、次の甲第１号証ないし甲第６号証を提出し、本件発明は、本件出願前に国内において頒布された甲第１号証ないし甲第２号証の各刊行物に記載された発明に基づいて当業者が容易に発明をすることができたものであるから、特許法第２９条第２項の規定により特許を受けることができないものであって、本件発明の特許は取り消されるべきものである旨主張している。
　
　甲第１号証：国際公開第９２／０８６５７号パンフレット（以下、「刊行物１」という。）
　甲第２号証：実公昭５８−２４５９号公報（以下、「刊行物２」という。）
　甲第３号証：実公昭５７−２３０１４号公報
　甲第４号証：実願平１−１０３７９１号（実開平３−４３３５３号）のマイクロフィルム
　甲第５号証：実公平４−１４１３５号公報
　甲第６号証：実願平１−１９２３２号（実開平２−１１２３６２号）のマイクロフィルム
　
３．当審の取消理由において引用した刊行物とその記載内容
　当審が通知した取消理由に引用した刊行物１及び２には、それぞれ、以下の事項が記載されている。
　
（１）刊行物１（国際公開第９２／０８６５７号パンフレット）には、発泡性の液体を、空気と混合させて発泡させた後に、均一な泡を小出しに噴出する泡噴出ポンプに関して、次のａ〜ｄの各事項が図面とともに記載されている。
　
記載ａ：
「本発明の泡噴出ポンプ容器は、液体を収容した容器の開口部の内側に設けられる空気ポンプのための空気シリンダと液体ポンプのための液用シリンダとを同心円状に設けてなる二重シリンダと、前記液用シリンダの底部と前記容器の底部とを連通する吸液管と、前記空気用シリンダと液用シリンダ内をそれぞれ上下移動する空気用ピストンと液用ピストンとを同心円状に一体的に設けてなるピストン体と、前記ピストン体の上端に設けられる泡噴出用の穴部を有するノズル体と、前記穴部と前記空気用シリンダ内とを連通させる空気流路と、前記液用シリンダ内と前記穴部とを連通させる液流路と、該液流路の途中に配設される第１逆止弁と、前記液用シリンダ内に配設される第２逆止弁と、前記穴部に配設される多孔体と、前記ピストン体を前記二重シリンダに対する上死点側に付勢する付勢バネと、前記容器内の液体と容器外の外気とを連通させて容器内が負圧になることを防止するために前記空気用シリンダに形成されるとともに作動弁を有した外気導入穴と、前記二重シリンダを前記容器に対して固定させかつ前記ピストンを挿通し案内する蓋体とを具備してなる泡噴出ポンプ容器」　（第４頁第１４行〜第５頁第８行）
記載ｂ：
「空気用シリンダと前記空気用ピストンとで形成される空気室内への外気導入を前記空気ピストンの外周面と前記蓋体の挿通の間隙を介して行うために第３逆止弁を前記空気ピストンに設けてなる構成である。」　（第５頁第１５〜１８行）
記載ｃ：
「この容器１の上部開口部の外周縁部には雄ネジ部の開口ネジ部１ａが一体形成されており、この開口ネジ部１ａに対して大蓋体１５の雌ネジ部である内ネジ部１５ａを螺合した状態を保持することによって、容器の気密状態を保つ一方、以後説明するポンプ組み立て体を完成状態で容器１に対して固定できるようになっている。」　（第８頁第２〜７行）
記載ｄ：
「液用ピストン１２の下端には液用シリンダ３ｄ内を上下方向に気密状態を保持して摺動される摺動シール部１３ｃを有した摺動体１３の圧入部１３ａが図示のように圧入されている。」　（第１４頁第７〜１０行）
　
　上記記載ａ〜ｄを図面（第１、２図）を参照しながら総合すると、刊行物１には、次の発明（以下「引用発明１」という。）が記載されていると認められる。
　
　【引用発明１】　容器の開口ネジ部１ａに嵌合させた蓋体と、該蓋体の頂壁部より容器内へ垂下させた空気用シリンダ及び該空気用シリンダ下端中央より同心円状に垂設した第２逆止弁付き液用シリンダよりなる２重シリンダと、上記液用シリンダ内周に摺動可能に嵌合させた摺動体１３を下端外周より突設するとともに、上部外周より上記空気用シリンダ内周に摺動可能に嵌合させた第３逆止弁付き空気用ピストンを突設し、且つ、上端を上記蓋体頂壁部を貫通して上方へ突出させた液用ピストンと、該液用ピストン上端より延設して液用ピストンと一体に上下動するノズル体と、上記液用ピストン及びノズル体で構成する昇降部材を常時上方に付勢する付勢バネと、上記液用ピストン内よりノズル体の注出部先端に至る流路内に設けた第１逆止弁と、上記第１逆止弁下流の流路内に設けた多孔体と、上記空気用ピストン基端部に一端を開口するとともに、液用ピストン内を通り多孔体と第１逆止弁間の流路内に他端を開口する空気流路とを有していることを特徴とする泡噴出ポンプ容器。
（２）刊行物２（実公昭５８−２４５９号公報）には、ピストン杆を往復運動することにより、泡を噴出する泡噴出装置に関し、次のｅ及びｆの各事項が図面とともに記載されている。
　
記載ｅ：
「吸引管１と逆止弁２とを有する起泡性液用シリンダ３に空気用シリンダ４を連接し、起泡性液用シリンダ３内にピストン杆５を摺動自在に装着し、該ピストン杆５に装着した下降圧縮用のピストン板７を空気用シリンダ４内に摺動自在に挿入し、起泡性液用シリンダ３内い開口し逆止弁８を有する液導孔９と空気用シリンダ４内に開口し逆止弁１０を有する空気導孔１１とをピストン杆５に穿設し、ピストン杆５の噴出口１２と連通する泡導孔１３に液導孔９の泡導孔１３より小径の液噴孔９’と空気導孔１１の泡導孔１３より小径の空気噴孔１１’とを開口してなる泡噴出装置。」（実用新案登録請求の範囲）
記載ｆ：
「起泡性液用シリンダ３内に開口し逆止弁８を有する液導孔９と空気用シリンダ４内に開口し逆止弁１０を有する空気導孔１１とをピストン杆５に穿設し、」（第１頁右欄第１７〜２０行）
　
　上記記載ｅ、ｆを図面（第１〜３図）を参照しながら総合すると、刊行物２には、次の発明（以下、「引用発明２」という。）が記載されていると認められる。
　
　【引用発明２】起泡性液用シリンダに空気用シリンダを連接し、起泡性液用シリンダ内にピストン杆を摺動自在に装着し、ピストン杆に装着した下降圧縮用のピストン板７を空気用シリンダ内に摺動自在に挿入し、ピストン杆内から噴出口に至る流路に逆止弁を設けるとともに、空気用シリンダと泡導孔とを結ぶ空気導孔内に空気用シリンダから前記流路内に一方的に連通させるための逆止弁を設けた泡噴出装置
　
４．対比及び判断
　ここで、本件発明と引用発明１とを対比すると、引用発明１の「開口ネジ部１ａ」、「蓋体」、「頂壁部」、「容器１」、「空気用シリンダ」、「第２逆止弁」、「液用シリンダ」、「２重シリンダ」、「摺動体１３」、「第３逆止弁」、「空気用ピストン」、「液用ピストン」、「ノズル体」、「昇降部材」、「付勢バネ」、「ノズル体の注出部」、「流路」、「第１逆止弁」、「多孔体」、「空気流路部」、「泡噴出ポンプ容器」は順に、本件発明の「容器体口頚部」、「装着キャップ」、「頂壁」、「容器体」、「大径シリンダ」、「吸い込み弁」、「小径シリンダ」、「シリンダ部材」、「小径ピストン」、「吸気弁」、「大径ピストン」、「吐出管」、「ノズル付き押し下げヘッド」、「上下動部材」、「弾性部材」、「ノズル」、「流通路」、「吐出弁」、「起泡層」、「通気路」、「泡噴出容器」に相当するので、両発明は、次の一致点アで一致し、相違点イでのみ相違する。
【一致点ア】容器体口頚部に嵌合させた装着キャップと、該キャップの頂壁より容器体内へ垂下させた大径シリンダ及び該シリンダ下端中央より同心円状に垂設した吸い込み弁付き小径シリンダよりなるシリンダ部材と、上記小径シリンダ内周に摺動可能に嵌合させた小径ピストンを下端外周より突設するとともに、上部外周より上記大径シリンダ内周に摺動可能に嵌合させた吸気弁付き大径ピストンを突設し、且つ、上端を上記キャップ頂壁を貫通して上方へ突出させた吐出管と、該吐出管上端より延設して吐出管と一体に上下動するノズル付き押し下げヘッドと、上記吐出管及び押し下げヘッドで構成する上下動部材を常時上方に付勢する弾性部材と、上記吐出管内よりノズル先端に至る流通路内に設けた吐出弁と、上記吐出弁下流の流通路内に設けた起泡層と、上記大径ピストン基端部に一端を開口するとともに、吐出管内を通り起泡層と吐出弁間の流通路内に他端を開口する通気路とを有する泡噴出容器。
　
【相違点イ】液が通気路を逆流して大径シリンダ内に侵入するのを防止するために、本件発明では、下部が幅広大径の円筒状空間をなす通気路内に、円筒状で上端部がテーパー状に縮径した弾力性を有する部材からなる逆流防止弁を設けたのに対し、引用発明１は、逆止弁を全く設けてはいない点。
　
　この相違点イについて検討する。
　刊行物２の空気シリンダ4は、本件発明の大径シリンダに相当するので、刊行物２には、液が通気路を逆流して大径シリンダ内に侵入するのを防止するために、通気路内に逆流防止弁を設ける技術が記載されている。
　引用発明１も引用発明２も、何れも噴出する液に空気を混ぜることによって泡を噴出させる容器であるので、引用発明２に示された、液が通気路を逆流しないように逆止弁を設けることを、引用発明１に適用すること自体には格別の困難はなかったものと認められる。
　ところで、逆止弁として用いられる弁の構造を、本件発明においては、「下部が幅広大径の円筒状空間をなす通気路内に、円筒状で上端部がテーパー状に縮径した弾力性を有する部材からなる逆流防止弁を設けた」と特定をしているが、、管体外周の流体の流れを一方的にする逆止弁として、一端部を管体外周に沿わせるため弾力性を持たせつつテーパ形状とするものは従来からよく知られており（甲第３号証並びに甲第４号証に示された逆止弁を参照されたい。）、逆止弁を本件発明のように特定した点に格別のものはない。
　また、そのように特定された弁を通気路に配置するにあたって、通気路の下部を幅広とする程度のことは、逆止弁を装着する観点から当業者が適宜選択できた程度の設計的事項であり、その点にも格別のものはない。
　
　ところで、特許権者は、特許異議意見書第５頁第９〜１３行において、「空気導入孔11内には逆止弁10の存在はあるものの、この様な構成の空気導入孔11では、逆止弁10上に液が溜まり、僅かずつでも大径シリンダ内に液が逆流する虞があることは十分考えられる。従って、この点に於いて両者は目的、効果上の相違があることが明らかであります。」と主張している。
　しかしながら、本件発明のものにおいても通気路26に液体が入り込んでくる可能性は十分に考えられ（また、そうでなければ、逆止弁を設けることの意味がないであろうが）、どうして、本件請求項１に係る発明のものの場合には逆流する虞がなく、引用発明２に記載の逆止弁が逆流する虞があるのか、その主張の根拠が明らかでないので、請求人の主張は採用しない。
　
　したがって、本件の請求項１に係る発明は、本件出願前に国内において頒布された刊行物１及び２に記載された発明に基づいて、本件出願前に当業者が容易に発明をすることができたものであるというべきである。
　
ＩＶ．むすび
　以上のとおりであるから、本件発明の特許は、特許法第２９条第２項の規定により特許を受けることができない。
　したがって、本件発明についての特許は拒絶の査定をしなければならない出願についてなされたものと認める。
　よって、特許法の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年１１月１２日（２００２．１１．１２）
【訂正の要旨】
訂正事項
ａ．特許第３２０９４０４号発明の明細書中特許請求の範囲に於いて、
「容器体口頸部５に嵌合させた装着キャップ６と、該キャップ６の頂壁１０より容器体２内へ垂下させた大径シリンダ１１及び該シリンダ１１下端中央より同心円状に垂設した吸い込み弁１４付き小径シリンダ１２よりなるシリンダ部材７と、上記小径シリンダ１２内周に摺動可能に嵌合させた小径ピストン１９を下端外周より突設するとともに、上部外周より上記大径シリンダ１１内周に摺動可能に嵌合させた吸気弁２５付き大径ピストン２０を突設し、且つ、上端を上記キャップ頂壁１０を貫通して上方へ突出させた吐出管１８と、該吐出管１８上端より延設して吐出管１８と一体に上下動するノズル付き押し下げヘッド２３と、上記吐出管１８及び押し下げヘッド２３で構成する上下動部材８を常時上方へ付勢する弾性部材２９と、上記吐出管１８内よりノズル２１先端に至る流通路２２内に設けた吐出弁２４と、上記吐出弁２４下流の流通路内に設けた起泡層３０と、上記大径ピストン２０基端部に一端を開口するとともに、吐出管１８内を通り起泡層３０と吐出弁２４間の流通路２２内に他端を開口する通気路２６とを有し、該通気路２６内に大径シリンダ１１内より流通路２２内へ一方的に連通させるための逆流防止弁２７を設けてなることを特徴とする泡噴出容器。」
とあるのを、
「容器体口頸部５に嵌合させた装着キャップ６と、該キャップ６の頂壁１０より容器体２内へ垂下させた大径シリンダ１１及び該シリンダ１１下端中央より同心円状に垂設した吸い込み弁１４付き小径シリンダ１２よりなるシリンダ部材７と、上記小径シリンダ１２内周に摺動可能に嵌合させた小径ピストン１９を下端外周より突設するとともに、上部外周より上記大径シリンダ１１内周に摺動可能に嵌合させた吸気弁２５付き大径ピストン２０を突設し、且つ、上端を上記キャップ頂壁１０を貫通して上方へ突出させた吐出管１８と、該吐出管１８上端より延設して吐出管１８と一体に上下動するノズル付き押し下げヘッド２３と、上記吐出管１８及び押し下げヘッド２３で構成する上下動部材８を常時上方へ付勢する弾性部材２９と、上記吐出管１８内よりノズル２１先端に至る流通路２２内に設けた吐出弁２４と、上記吐出弁２４下流の流通路内に設けた起泡層３０と、
上記大径ピストン２０基端部に一端を開口するとともに、吐出管１８内を通り起泡層３０と吐出弁２４間の流通路２２内に他端を開口し、且つ、下部が幅広大径の円筒状空間をなす通気路２６とを有し、該通気路２６内に、円筒状で上端部がテーパ状に縮径した弾力性を有する部材からなり且つ大径シリンダ１１内より流通路２２内へ一方的に連通させるための逆流防止弁２７を設けた
　これに伴い、特許請求の範囲の記載と発明の詳細な説明の記載との整合をとるため、明細書第３頁第１４行乃至同第３頁第１７行（特許第３２０９４０４号公報第２頁第４欄１２行乃至１６行）の「上記大径ピストン２０基端部に一端を開口するとともに、吐出管１８内を通り起泡層３０と吐出弁２４間の流通路２２内に他端を開口する通気路２６とを有し、該通気路２６内に大径シリンダ１１内より流通路２２内へ一方的に連通させるための逆流防止弁２７を設けて構成した。」を明瞭でない記載の釈明を目的として「
上記大径ピストン２０基端部に一端を開口するとともに、吐出管１８内を通り起泡層３０と吐出弁２４間の流通路２２内に他端を開口し、且つ、下部が幅広大径の円筒状空間をなす通気路２６とを有し、該通気路２６内に、円筒状で上端部がテーパ状に縮径した弾力性を有する部材からなり且つ大径シリンダ１１内より流通路２２内へ一方的に連通させるための逆流防止弁２７を設けて
（５４）【発明の名称】
泡噴出容器
（５７）【特許請求の範囲】
　【請求項１】　容器体口頚部５に嵌合させた装着キャップ６と、該キャップ６の頂壁１０より容器体２内へ垂下させた大径シリンダ１１及び該シリンダ１１下端中央より同心円状に垂設した吸い込み弁１４付き小径シリンダ１２よりなるシリンダ部材７と、上記小径シリンダ１２内周に摺動可能に嵌合させた小径ピストン１９を下端外周より突設するとともに、上部外周より上記大径シリンダ１１内周に摺動可能に嵌合させた吸気弁２５付き大径ピストン２０を突設し、且つ、上端を上記キャップ頂壁１０を貫通して上方へ突出させた吐出管１８と、該吐出管１８上端より延設して吐出管１８と一体に上下動するノズル付き押し下げヘッド２３と、上記吐出管１８及び押し下げヘッド２３で構成する上下動部材８を常時上方に付勢する弾性部材２９と、上記吐出管１８内よりノズル２１先端に至る流通路２２内に設けた吐出弁２４と、上記吐出弁２４下流の流通路内に設けた起泡層３０と、上記大径ピストン２０基端部に一端を開口するとともに、吐出管１８内を通り起泡層３０と吐出弁２４間の流通路２２内に他端を開口し、且つ、下部が幅広大径の円筒状空間をなす通気路２６とを有し、該通気路２６内に、円筒状で上端部がテーパ状に縮径した弾力性を有する部材からなり且つ大径シリンダ１１内より流通路２２内へ一方的に連通させるための逆流防止弁２７を設けたことを特徴とする泡噴出容器。
【発明の詳細な説明】
　【０００１】
　【発明の属する技術分野】
　本発明は泡噴出容器に関する。
　【０００２】
　【従来の技術】【発明が解決しようとする課題】
　例えば、国際公開番号ＷＯ９２／０８６５７（特願平２−５１５０８２号）の容器が知られている。該容器は、口頚部を起立する容器体と、上部外面に付設した外向きフランジを容器体口頚部の上面へ係合させて容器体内へ大径シリンダを垂設するとともに、該大径シリンダ下端から上内方へ折り返し筒部を介して吸い込み弁付きの小径シリンダを垂下するシリンダ部材と、上記口頚部外面へ嵌合させた筒部上端の内向きフランジで上記外向きフランジを口頚部上端との間で挟持するキャップ状部材と、上記小径シリンダ内へ嵌合させた小径筒状ピストンから小径ステムを起立して該ステムの上端部に吐出弁を設けるとともに上記大径シリンダ内へ嵌合させた大径筒状ピストンから上記小径ステム外面へ嵌着させて大径ステムを起立する作動部材と、上記大径ステムを上下動自在に貫通させた頂壁外周から大径シリンダの上端部外面へ嵌合させて周壁を垂下するキャップ状部材と、上記大径ステムの上部外面へ嵌着させたノズル付き押し下げヘッドとを有し、該押し下げヘッドから垂下して大径ステム外面へ嵌着させた嵌合筒部内へ、上下両面に発泡ネットを張設した短筒を嵌着させるとともに、上記作動部材をスプリングで上方付勢させ、かつ上記大径筒状ピストンの頂板部に設けた空気吸入弁と大小両ステム間に穿設した空気流通路とを介して、上記吐出弁とネット付き短筒との間の大径ステム部分内へ開口する外気吸入路を設けている。
　【０００３】
　上記容器は、付勢に抗して押し下げヘッドを押し下げすると、小径筒状ピストンと大径筒状ピストンとが共に小径及び大径シリンダ内を下降することで、小径シリンダ内の液体は吐出弁を通って、又、大径シリンダ内の空気は大小両ステム間の空気流通路を通って大径ステムの上端部内で混合し、かつネットを通過することで発泡した状態でノズルから放出し、又、該作動部材の押し下げを解放すると、大小両筒状ピストン上昇により空気吸入弁が開いて大径シリンダ内へ外気が、又、吐出弁が閉じ且つ吸い込み弁が開くことで小径シリンダ内へ容器体内液体が、それぞれ流入するよう設けている。
　【０００４】
　上記従来の容器は、流通路と空気路とが合流する合流点がポンプ上端部のノズル体部分に設けられているため、この合流点から空気路を伝って空気用シリンダ内に液が逆流し、空気用シリンダ内に液が溜まってしまう場合がある。空気用シリンダ内に液が溜まると作動不良のもととなるとともに、空気供給量も少なくなってしまい、良好な起泡、吐出作用を行えなくなる虞がある。
　【０００５】
　本発明は上記した従来技術の欠点を解消した優れた泡噴出容器を提案するものである。
　【０００６】
　【課題を解決するための手段】
　本発明容器は上記課題を解決するため、容器体口頚部５に嵌合させた装着キャップ６と、該キャップ６の頂壁１０より容器体２内へ垂下させた大径シリンダ１１及び該シリンダ１１下端中央より同心円状に垂設した吸い込み弁１４付き小径シリンダ１２よりなるシリンダ部材７と、上記小径シリンダ１２内周に摺動可能に嵌合させた小径ピストン１９を下端外周より突設するとともに、上部外周より上記大径シリンダ１１内周に摺動可能に嵌合させた吸気弁２５付き大径ピストン２０を突設し、且つ、上端を上記キャップ頂壁１０を貫通して上方へ突出させた吐出管１８と、該吐出管１８上端より延設して吐出管１８と一体に上下動するノズル付き押し下げヘッド２３と、上記吐出管１８及び押し下げヘッド２３で構成する上下動部材８を常時上方に付勢する弾性部材２９と、上記吐出管１８内よりノズル２１先端に至る流通路２２内に設けた吐出弁２４と、上記吐出弁２４下流の流通路内に設けた起泡層３０と、上記大径ピストン２０基端部に一端を開口するとともに、吐出管１８内を通り起泡層３０と吐出弁２４間の流通路２２内に他端を開口し、且つ、下部が幅広大径の円筒状空間をなす通気路２６とを有し、該通気路２６内に、円筒状で上端部がテーパ状に縮径した弾力性を有する部材からなり且つ大径シリンダ１１内より流通路２２内へ一方的に連通させるための逆流防止弁２７を設けて構成した。
　【０００７】
　図１の状態から上下動部材８と装着キャップ６との螺合を外すと、スプリング２９の作用で上下動部材８は上昇して吐出可能な状態となる。この状態から上下動部材８を押し下げると、小径ピストン１９下方の小径シリンダ１２内の液は加圧されて吐出管１８内を通り吐出弁２４を開いて起泡層３０下部の流通路２２内に至る。一方、大径シリンダ１１内の空気は加圧されて逆流防止弁２７を開き通気路２６を介して起泡層３０下部の流通路２２内に至り、ここで混合された気・液混合液は起泡層３０を通過して発泡され、更に整泡層３１を通って均一に整泡されノズル２１より噴出される。
　【０００８】
　次いで上下動部材８が上昇すると、小径ピストン１９下部の小径シリンダ１２内が負圧化して吸い込み弁１４が開き、容器体２内の液が吸い込み管１５を介して小径シリンダ１２内に導入される。この際、同時に外気が吐出管１８外周とキャップ頂壁１０中央の窓孔との間を通り吸気弁２５を介して大径シリンダ１１内へ吸入される。
　【０００９】
　又、液が吸い上げされて負圧化した容器体２内には、装着キャップ６中央の透孔と吐出管１８外面の隙間から導入された外気が透孔１６を介して逆止弁１７を開き導入される。
　【００１０】
　【発明の実施の形態】
　以下、本発明の実施例を図面を参照して説明する。
　【００１１】
　図１は本発明の一実施例を示し、図中１は泡噴出容器を示す。該容器１は、容器体２とポンプ３とを備えている。
　【００１２】
　容器体２は合成樹脂、硝子等より形成されたもので、筒状胴部４より口頚部５を起立して構成している。
　【００１３】
　又、ポンプ３は、合成樹脂により形成したもので装着キャップ６と、シリンダ部材７と、上下動部材８とを主要部材として構成している。
　【００１４】
　装着キャップ６は、容器体口頚部５外周に螺合させた周壁９上端縁より頂壁１０を延設するとともに、頂壁１０中央部に穿設した円形窓孔内周部に上下動部材螺着用の螺条を周設して構成している。
　【００１５】
　又、上記シリンダ部材７は、装着キャップ頂壁１０に上端を嵌着固定するとともに、下端を容器体２内に垂下させた筒状をなす大径シリンダ１１と、該シリンダ１１の底壁１１ａ中央部に上端を開孔して同心円状に垂下させた小径シリンダ１２とを有しており、又、該シリンダ１２の底壁１２ａ中央に上端を開口した嵌合筒部１３を垂設し、該筒部１３内に玉弁体を有する吸い込み弁１４を設けて容器体２内より小径シリンダ１２内へ一方的に連通させている。又、上記嵌合筒部１３下端に上端を嵌着固定して下端を容器体底部へ垂下させた吸い込み管１５を設けて容器体２内と小径シリンダ１２内とを吸い込み弁１４を介して連通させている。
　【００１６】
　又、大径シリンダ１１の周壁１１ｂ上部に容器体２内と連通する１乃至２以上の透孔１６を穿設するとともに、該透孔１６外面を円筒状の逆止弁１７で気密に被覆して容器体２内が負圧化した際に大径シリンダ１１内の空気が容器体２内へ導入される如く構成している。
　【００１７】
　上下動部材８は、上端をキャップ頂壁１０上方へ上下動可能に突出させるとともに、下端を小径シリンダ１２内に上下動可能に垂下させた上下端面開口の筒状をなす吐出管１８と、該吐出管１８下端外周より突設するとともに、その外周縁を小径シリンダ１２内周面に上下に摺動可能に嵌合させた環状の小径ピストン１９と、上記吐出管１８上部外周より外向きフランジ状に突設した基部２０ａ外周縁の摺動部２０ｂを上記大径シリンダ１１内面に上下に摺動可能に嵌合させた大径ピストン２０と、上記吐出管１８上端に延設するとともに、吐出管１８上端開口から前面に開口したノズル２１の注出孔に至る流通路２２を内部に形成してなる押し下げヘッド２３とを備えている。又、上下動部材８の吐出管１８内上端部には玉弁体を有する吐出弁２４を設けて上流より下流へ一方的に連通させている。
　【００１８】
　又、上記大径ピストン２０の基部２０ａには玉弁体を有する吸気弁２５を形成して上下動部材上昇の際外気を大径シリンダ１１内へ導入可能に構成している。更に、この大径ピストン基部２０ａの基端部下面の吐出管１８外周部に一端を開口し、吐出管１８内を通り上記吐出弁２４上方に他端を開口する通気路２６を設けている。この通気路２６は下部が幅広大径の円筒状空間をなし、この円筒状空間に、円筒状で上端部がテーパー状に縮径した弾力性を有する部材からなる逆流防止弁２７を設けて、大径シリンダ１１内より流通路２２内へ一方的に連通させることにより、気・液合流点からの大径シリンダ１１内への液の逆流を防止する様構成している。
　【００１９】
　又、上記小径シリンダ１２内中央部には案内棒２８を立設固定して上下動部材８の円滑な上下動を行える如く構成している。
　【００２０】
　又、上下動部材８の吐出管１８上部外周には、上記装着キャップ６の螺条と螺合する螺条を設けて下降状態で係止可能に構成するとともに、小径ピストン１９と小径シリンダ底壁１２ａ間に介在させたコイルスプリング２９により常時上方へ付勢させている。
　【００２１】
　又、上記吐出弁２４上部の流通路２２内には起泡層３０を設けている。この起泡層３０は、網状の多孔シートで構成しており、気・液混合液が通過すると発泡して泡が形成される如く構成している。
　【００２２】
　又、起泡層３０上部にも多孔シートよりなる整泡層３１を横設している。この整泡層３１は下部の起泡層３０で一旦発泡された泡を略均一にする働きをする。尚、上記起泡層３０及び整泡層３１は上記多孔シートに限らず、多孔質部材等の従来のこの種容器に使用されている発泡機能，整泡機能のあるものであれば使用可能である。
　【００２３】
　【発明の効果】
　以上説明した如く本発明容器は、既述構成としたことにより、液が通気路を逆流して大径シリンダ内に浸入し溜まることはなく、その結果、上下動部材の作動不良を引き起こす虞はなく、又、大径シリンダ内容量が減少して供給空気量が減少する等の不都合を生じる虞はない。
【図面の簡単な説明】
　【図１】　本発明容器の一実施例を示す要部縦断面図である。
　【図２】　同実施例の作動部材の係止を解除した状態の要部縦断面図である。
　【符号の説明】
　２…容器体，５…口頚部，６…装着キャップ，７…シリンダ部材，
　８…上下動部材，１０…キャップ頂壁，１１…大径シリンダ，
　１２…小径シリンダ，１４…吸い込み弁，１８…吐出管，１９…小径ピストン，
　２０…大径ピストン，２１…ノズル，２２…流通路，２３…押し下げヘッド，
　２５…吸気弁，２６…通気路，２７…逆流防止弁，２９…コイルスプリング，
　３０…起泡層